(57)【要約】【課題】シール部材が、面方向の力を受けてコネクタハウジングから外れることを防ぐことが可能な防水コネクタを提供する。【解決手段】コネクタハウジング１０と、このコネクタハウジング１０に装着されるシール部材４０とを備え、前記シール部材４０は、環状をなす本体部４１を有し、前記コネクタハウジング１０と前記シール部材４０とは、前記本体部４１の軸方向に挿入することで係止し合う係止部６０を有し、前記係止部６０は、前記本体部４１の内周側に位置して設けられる内側係止部６１と、前記本体部４１の外周側に位置して設けられる外側係止部６２とを有し、前記内側係止部６１と前記外側係止部６２とは、前記本体部４１を構成する辺のそれぞれに対応して、少なくとも一ずつ設けられている。【選択図】図５
2015015139.tif 000002
【特許請求の範囲】
【請求項１】
コネクタハウジングと、このコネクタハウジングに装着されるシール部材とを備え、
前記シール部材は、環状をなす本体部を有し、
前記コネクタハウジングと前記シール部材とは、前記本体部の軸方向に挿入することで係止し合う係止部を有し、
前記係止部は、前記本体部の内周側に位置して設けられる内側係止部と、前記本体部の外周側に位置して設けられる外側係止部とを有し、
前記内側係止部と前記外側係止部とは、前記本体部が円形状である場合には、前記本体部を周方向に４等分してなる弧のそれぞれに対応して、また前記本体部が多角形状である場合には、前記本体部を構成する辺のそれぞれに対応して、少なくとも一ずつ設けられている防水コネクタ。
【請求項２】
前記係止部は、圧入することで係止し合う圧入係止部と、引っ掛けることで係止し合う引掛係止部とを有している請求項１に記載の防水コネクタ。
【請求項３】
一の前記内側係止部と一の前記外側係止部とが近傍に位置して一組ずつ設けられている請求項１または請求項２に記載の防水コネクタ。
【請求項４】
前記本体部は長方形状であり、その長辺には、前記一組の内側係止部および外側係止部が、少なくとも二組設けられている請求項３に記載の防水コネクタ。
【発明の詳細な説明】
【技術分野】
【０００１】
本発明は、防水コネクタに関する。
【背景技術】
【０００２】
従来、防水コネクタとして、コネクタハウジングと、このコネクタハウジングに装着されるシール部材とを備えたものが知られている。シール部材の本体部は環状をなし、コネクタハウジングとシール部材とには、本体部の軸方向に挿入することで係止し合う係止部が設けられている。
【０００３】
例えば下記特許文献１に記載された防水コネクタは、インバータ等の機器のケースにボルト締めにより固定されるものであり、シール部材は、ケースとコネクタハウジングとに押し付けられて密着（面接触）し、両者の間を液密状にシールする。このシール部材は、長方形状の本体部を有し、係止部は、本体部の長辺に対応して一対ずつと、短辺に対応して一ずつとが設けられている。本体部の長辺に対応して設けられた係止部は、本体部の内周側に位置し、短辺に対応して設けられた係止部は、本体部の外周側に位置して設けられている。
【先行技術文献】
【特許文献】
【０００４】
【特許文献１】特開２００４−３２７１６９号公報
【発明の概要】
【発明が解決しようとする課題】
【０００５】
ところで、上記のような防水コネクタをケースに固定する際、ケースのねじ孔に防水コネクタのボルト孔を整合させるべく、防水コネクタを、ケースの外側面に沿って滑らすように移動させることがある。すると、シール部材がケースの外面に接触して面方向の力を受け、本体部の上側の長辺が下向きの力によりめくれ、下側の長辺が上向きの力によりめくれる等し、ひいてはシール部材が、コネクタハウジングから外れてしまう虞がある。
【０００６】
本発明は上記のような事情に基づいて完成されたものであって、シール部材が、面方向の力を受けてコネクタハウジングから外れることを防ぐことが可能な防水コネクタを提供することを目的とする。
【課題を解決するための手段】
【０００７】
本発明の防水コネクタは、コネクタハウジングと、このコネクタハウジングに装着されるシール部材とを備え、前記シール部材は、環状をなす本体部を有し、前記コネクタハウジングと前記シール部材とは、前記本体部の軸方向に挿入することで係止し合う係止部を有し、前記係止部は、前記本体部の内周側に位置して設けられる内側係止部と、前記本体部の外周側に位置して設けられる外側係止部とを有し、前記内側係止部と前記外側係止部とは、前記本体部が円形状である場合には、前記本体部を周方向に４等分してなる弧のそれぞれに対応して、また前記本体部が多角形状である場合には、前記本体部を構成する辺のそれぞれに対応して、少なくとも一ずつ設けられているものである。
【０００８】
このような構成によれば、本体部を４等分してなる弧のそれぞれ、または本体部を構成する辺のそれぞれにおいて、内向きの力が作用したときには外側係止部の係止により、外向きの力が作用したときには内側係止部の係止により、そのめくれを防止することができるから、シール部材が、面方向の力を受けてコネクタハウジングから外れることを防ぐことができる。
【０００９】
また、前記係止部は、圧入することで係止し合う圧入係止部と、引っ掛けることで係止し合う引掛係止部とを有しているものとしてもよい。このような構成によれば、引掛係止部を係止する作業は、圧入係止部を係止する作業に比して容易であるから、すべての係止部を圧入係止部とする場合に比べて、コネクタハウジングにシール部材を装着する作業を容易に行うことができる。
【００１０】
また、一の前記内側係止部と一の前記外側係止部とが近傍に位置して一組ずつ設けられているものとしてもよい。
また、前記本体部は長方形状であり、その長辺には、前記一組の内側係止部および外側係止部が、少なくとも二組設けられているものとしてもよい。
【発明の効果】
【００１１】
本発明によれば、シール部材が、面方向の力を受けてコネクタハウジングから外れることを防ぐことが可能な防水コネクタを提供することができる。
【図面の簡単な説明】
【００１２】
【図１】本実施形態における防水コネクタの分解斜視図
【図２】防水コネクタの断面図
【図３】コネクタハウジングの正面図
【図４】コネクタハウジングの断面図であって、図３のＡ−Ａ位置における断面に相当する断面図
【図５】シール部材の背面図
【図６】シール部材の平面図
【図７】シール部材の側面図
【図８】シール部材の断面図であって、図５のＢ−Ｂ位置における断面に相当する断面図
【図９】シールドハウジングの正面図
【図１０】シールドハウジングの断面図であって、図９のＣ−Ｃ位置における断面に相当する断面図
【図１１】防水コネクタの断面図であって、コネクタハウジング、シール部材およびシールドハウジングを組み付ける前の状態を表す断面図
【図１２】防水コネクタの断面図であって、シール部材が装着されたコネクタハウジングにシールドハウジングを組み付ける前の状態を表す断面図
【図１３】防水コネクタの断面図であって、コネクタハウジング、シール部材およびシールドハウジングを組み付けた後の状態を表す断面図
【図１４】ハウジング側外係止部にシール側外係止部を挿入する様子を表す一部拡大断面図
【発明を実施するための形態】
【００１３】
＜実施形態＞
以下、本発明を具体化した一実施形態について、図１〜図１４を参照しつつ詳細に説明する。
本実施形態における防水コネクタＣは、モータやインバータ等の機器に接続されるコネクタであり、機器が収容されたシールド機能を有する図示しない金属製のケースに取り付けられ、機器側のコネクタに接続される。以下、各構成部材において、機器との接続側（図１の左下側）を前方、その反対側を後方、また図１の上側を上方、下側を下方、左上側を右方、右下側を左方として説明する。
【００１４】
防水コネクタＣは、複数本（本実施形態では３本）の電線Ｗの端末に固着された端子金具３０を保持するコネクタハウジング１０と、コネクタハウジング１０に装着されるシール部材４０と、コネクタハウジング１０にシール部材４０を装着した後に組み付けられるシールドハウジング（アウタハウジング）５０とを備えている。
【００１５】
コネクタハウジング１０は合成樹脂製であって、端子金具３０を収容可能な端子収容部１１を備えている。端子収容部１１には、端子金具３０が個別に収容されるキャビティ１２が、幅方向に一列に並んで設けられている。
【００１６】
端子金具３０は、導電性の金属板を打ち抜いて曲げ加工等を施したものであり、その前端部には、平板状をなす端子接続部３１が形成されている。端子接続部３１には、機器側のコネクタにボルト締結される接続孔３２が貫通形成されるとともに、その後方には、各キャビティ１２に形成されたランス１３が係止するランス係止孔３３が貫通形成されている。端子収容部１１に収容された端子金具３０は、ランス係止孔３３にランス１３が係止することにより、キャビティ１２からの抜け止めがなされる。
【００１７】
各キャビティ１２の後端部には、ゴム栓３４が収容されている。ゴム栓３４は、各電線Ｗの外周面と各キャビティ１２の内周面とに密着してこの間を液密状にシールし、キャビティ１２への浸水を防ぐ。ゴム栓３４は、端子収容部１１の後端に取り付けられたホルダ３５によって、キャビティ１２からの抜け止めがなされる。なお、ホルダ３５は、コネクタハウジング１０に設けられたロック凹部１４に、ホルダ３５に設けられたロック凸部３６が嵌合することで、コネクタハウジング１０に固定される。
【００１８】
コネクタハウジング１０は、ケースの外側面に沿って配されるフランジ部１５を備えている。フランジ部１５は、端子収容部１１の前後方向略中間位置において、全周に亘って張り出す形態で設けられている。シール部材４０は、フランジ部１５に装着される。
【００１９】
コネクタハウジング１０に装着されるシール部材４０はゴム製であって、図５に示すような、リング状（環状）をなす本体部４１を有している。本体部４１は、横長の長方形状とされ、その長辺（以後、長辺部４１Ａと称する）は、短辺（以後、短辺部４１Ｂと称する）の３倍程度の長さを有している。
【００２０】
本体部４１は、全周にわたって略一定の厚さ寸法とされ、その前面と後面とはともに平端な面とされている。本体部４１の前面および後面は、防水コネクタＣがケースに取り付けられると、ケースおよびフランジ部１５にそれぞれ押し付けられて密着（面接触）する。これにより、コネクタハウジング１０とケースとの間を液密状にシールし、防水コネクタＣと機器側コネクタとの接続部分への浸水を防ぐ。
【００２１】
コネクタハウジング１０とシール部材４０とには、図１１〜図１３に示すように、本体部４１の軸方向に挿入することで係止し合う係止部６０が設けられている。係止部６０は、本体部４１の内周側に位置して設けられる内側係止部６１と、本体部４１の外周側に位置して設けられる外側係止部６２とを有している。
【００２２】
内側係止部６１と外側係止部６２とは、図３に示すように、本体部４１を構成する四つの辺のそれぞれに対応して少なくとも一ずつ設けられ、各長辺部４１Ａには一対ずつ、各短辺部４１Ｂには一ずつ設けられている。そして、一の内側係止部６１と一の外側係止部６２とは、一組となるように近傍に位置して配置されている。そして、長辺部４１Ａにおいては、この一組の内側係止部６１および外側係止部６２が、二組設けられている。
【００２３】
内側係止部６１は、シール部材４０側に設けられたシール側内係止部４２と、コネクタハウジング１０側に設けられたハウジング側内係止部１６とを有し、シール側内係止部４２にハウジング側内係止部１６を圧入することで係止し合う圧入係止部とされている。また、外側係止部６２は、シール部材４０側に設けられたシール側外係止部４３とコネクタハウジング１０側に設けられたハウジング側外係止部１７とを有し、シール側外係止部４３をハウジング側外係止部１７に引っ掛けることで係止し合う引掛係止部とされている。シール側内係止部４２とシール側外係止部４３とはいずれも、本体部４１の直線部分（曲線状をなす角部を除く部分）に、本体部４１と一体に形成されている。シール側内係止部４２は本体部４１よりも薄肉であり、シール側内係止部４２と本体部４１との境には段差が形成されている（図８参照）。
【００２４】
シール側内係止部４２は、図５に示すように、本体部４１の周方向に沿って横長形状とされた大型係止片４２Ａと、大型係止片４２Ａよりも幅寸法が小さく（半分程度）された小型係止片４２Ｂとを有している。長辺部４１Ａには、大型係止片４２Ａと小型係止片４２Ｂとが一対ずつ設けられている。上下の長辺部４１Ａにおいて大型係止片４２Ａと小型係止片４２Ｂとは対角位置（本体部４１の短辺方向に対向する位置）に配されている。短辺部４１Ｂには小型係止片４２Ｂが設けられている。
【００２５】
各シール側内係止部４２には、ハウジング側内係止部１６に係止する略円形の孔部４４が１ずつ貫通形成されている。孔部４４は、本体部４１を周方向に略等分する位置（長辺部４１Ａにおいては長辺部４１Ａを略３等分する位置、短辺部４１Ｂにおいては短辺部４１Ｂの中心位置）にそれぞれ形成されている。
【００２６】
孔部４４は、径寸法の大きい大径孔部４４Ａと、径寸法の小さい小径孔部４４Ｂとを有している。そして、長辺部４１Ａに設けられた小型係止片４２Ｂには小径孔部４４Ｂが形成され、長辺部４１Ａに設けられた大型係止片４２Ａ、および短辺部４１Ｂに設けられた小型係止片４２Ｂには、大径孔部４４Ａが形成されている。なお、大型係止片４２Ａに形成された大径孔部４４Ａは、大型係止片４２Ａにおける長手方向の端部寄りに位置している。このように、孔部４４の径寸法が異なっていること、およびその位置が偏っていることにより、シール部材４０の表裏を誤ることなくコネクタハウジング１０に組み付けることができる（表裏誤組防止）。
【００２７】
シール側外係止部４３はそれぞれシール側内係止部４２の近傍に一ずつ、言い換えると、一のシール側内係止部４２と一のシール側外係止部４３とが、本体部４１を挟んで内外に一組ずつとなる位置に配されている。
【００２８】
長辺部４１Ａに設けられた一対のシール側外係止部４３は、それぞれ近傍のシール側内係止部４２とは本体部４１の周方向に若干ずれて設けられ、シール側内係止部４２よりも本体部４１の長手方向の端部寄りに位置している。長辺部４１Ａに設けられた一組のシール側外係止部４３とシール側内係止部４２とは、孔部４４を除く部分の一部が長辺部４１Ａに対して直角方向に連なっている。すなわち、シール側内係止部４２とシール側外係止部４３とが一部オーバーラップ（オフセット）している。これにより、例えばシール側内係止部とシール側外係止部とがオーバーラップしていない場合に比して、面方向の力に対しシール部材４０を外れにくくすることができる。
【００２９】
短辺部４１Ｂに設けられたシール側外係止部４３は、短辺部４１Ｂの延び方向の中心に位置し、短辺部４１Ｂに設けられたシール側内係止部４２と、短辺部４１Ｂに対して直角方向に連なっている。短辺部４１Ｂに設けられたシール側内係止部４２も同様に短辺部４１Ｂの延び方向の中心に位置し、かつ、シール側外係止部４３の中心に位置している。
【００３０】
シール側外係止部４３は、すべてが略同一形状とされ、本体部４１の長辺方向の中心を軸に対称に形成されている。シール側外係止部４３は、後述するハウジング側外係止部１７に挿入されて係止するものであり、ハウジング側外係止部１７への挿入方向に突出する軸部４３Ａと、軸部４３Ａから側方に突出する爪部４３Ｂとを有している（図６および図７参照）。
【００３１】
軸部４３Ａは全体として、本体部４１の周方向に長い壁状に形成され、本体部４１から側方（外周側）に突出したのち略垂直をなして後方に屈曲した形状とされている。軸部４３Ａの壁厚寸法は、本体部４１の厚さ寸法よりも若干小さくされている。また、軸部４３Ａのうち本体部４１から側方に突出する部分は、その垂直方向に屈曲された部分よりも壁厚寸法が大きくされている。
【００３２】
爪部４３Ｂは、軸部４３Ａの先端に設けられている。爪部４３Ｂは、軸部４３Ａから側方（本体部４１の外周側）に向けて略直角に突出している。爪部４３Ｂの幅寸法（本体部４１の周方向の寸法）は軸部４３Ａの幅寸法と同一とされている。
【００３３】
爪部４３Ｂには、図１２に示すように、ハウジング側外係止部１７の周辺に対して後側から係止する係止面４５が形成されている。係止面４５は、軸部４３Ａの外面に対して略垂直をなしている。また、爪部４３Ｂの後面には、図１１に示すように、シール側外係止部４３をハウジング側外係止部１７に挿入する際に、シール側外係止部４３の先端をハウジング側外係止部１７に案内する案内面４６が形成されている。なお、爪部４３Ｂの外面のうち係止面４５と案内面４６との間の面は、ハウジング側外係止部１７に対する挿入方向に略平行をなす面とされている。
【００３４】
そして、シール側外係止部４３には、その背面側（爪部４３Ｂの突出側とは反対側）の角部を削り取った形態で、逃がし傾斜面４７が形成されている（図１２〜図１４参照）。これにより、シール側外係止部４３とハウジング側外係止部１７との間には、シール側外係止部４３をハウジング側外係止部１７に挿入する際に、軸部４３Ａが背面側（爪部４３Ｂの突出側とは反対側）に弾性変形することを許容する逃がし部Ｓが形成されている。逃がし部Ｓは、ハウジング側外係止部１７の内周面と、ハウジング側外係止部１７に挿入されたシール側外係止部４３との間に形成されるスペースである。逃がし部Ｓは、爪部４３Ｂを押し潰すことなく、爪部４３Ｂの全体がハウジング側外係止部１７に入り込む大きさに設定されている。
【００３５】
フランジ部１５には、シール部材４０が装着される装着部１８が設けられている。装着部１８は、図３に示すように、フランジ部１５の周縁部に形成された略環状をなし、その外周側と内周側とに壁が立ち上げられて凹んだ形態とされている。装着部１８の凹み寸法は、シール部材４０が装着されたときにシール部材４０の前面がフランジ部１５の前面よりも前方に突出する寸法とされている（図２参照）。
【００３６】
装着部１８には、シール側内係止部４２が嵌合する係止嵌合部１９が設けられている。係止嵌合部１９は、シール側内係止部４２に対応する位置に設けられ、それぞれシール側内係止部４２の外形形状に沿った形状とされている。係止嵌合部１９は、シール側内係止部４２のうち大型係止片４２Ａが嵌合する大型嵌合部１９Ａと、小型係止片４２Ｂが嵌合する小型嵌合部１９Ｂとを備えている。
【００３７】
係止嵌合部１９には、シール側内係止部４２の孔部４４に圧入されるハウジング側内係止部１６が立設されている。ハウジング側内係止部１６は、フランジ部１５から前方へ向かって略円柱状をなして突出する突起である。ハウジング側内係止部１６は、孔部４４の径寸法に合わせて、径寸法の大きい大径突部１６Ａと、径寸法の小さい小径突部１６Ｂとを備えている。大径突部１６Ａは大径孔部４４Ａに圧入され、小径突部１６Ｂは小径孔部４４Ｂに圧入される。
【００３８】
また、装着部１８には、シール側外係止部４３が挿入されて係止するハウジング側外係止部１７が貫通形成されている。ハウジング側外係止部１７は、シール側外係止部４３に対応する位置、計６か所に設けられている。ハウジング側外係止部１７は、正面から見ると長方形状とされ、その挿入方向奥端の周囲に、爪部４３Ｂが引っ掛かる被係止面２１が形成されている（図１１参照）。
【００３９】
また、ハウジング側外係止部１７の挿入方向手前端の周囲には、シール側外係止部４３を誘い込む誘導面２２が形成されている（図１１参照）。誘導面２２は、ハウジング側外係止部１７の開口幅が、シール側外係止部４３の挿入方向前方に向かって少しずつ狭まるように傾斜する傾斜面である。
【００４０】
また、被係止面２１の裏側には、誘導面２２を残して肉抜き部２３が形成されている（図３参照）。これにより、被係止面２１にヒケ等の変形が生じることを防ぎ、係止力の低下を防ぐことができる。
【００４１】
シール部材４０がコネクタハウジング１０に装着された後に、コネクタハウジング１０に組み付けられるシールドハウジング５０は、導電性の金属製、具体的にはアルミダイキャスト製であり、フランジ部１５の略全体を覆う第一被覆部５１と、端子収容部１１のうちフランジ部１５よりも後側の部分を覆う第二被覆部５２とを一体に備えている。
【００４２】
シールドハウジング５０の第一被覆部５１には、コネクタハウジング１０のフランジ部１５を収容可能なフランジ収容部５３が凹み形成されている（図２参照）。フランジ収容部５３は、フランジ部１５の外形形状に沿う形状とされている。
【００４３】
また、シールドハウジング５０には、シールドハウジング５０をケースに固定するための図示しない金属製のボルトを挿通可能なボルト孔５４が、４箇所に設けられている（図９参照）。各ボルト孔５４にボルトを挿通させてケースのねじ孔に締め付けることで、シールドハウジング５０はケースに導通可能に固定される。なお、ボルト孔５４は、ケースのねじ孔と整合する位置（第一被覆部５１の四隅）に形成されている。
【００４４】
第二被覆部５２は、端子収容部１１を一括して覆う筒状をなしている。第二被覆部５２の外周には、防水コネクタＣから後方に引き出された複数の電線Ｗを一括して覆う図示しない編組線の端末部分が被せられる。そして、編組線の外周には、かしめリング５５がかしめて固着され、これにより、編組線とシールドハウジング５０とが導通可能に接続される。
【００４５】
シールドハウジング５０は、シール側外係止部４３の逃がし部Ｓ側への弾性変形を制限する変形制限部５６を備えている。変形制限部５６は、シールドハウジング５０がコネクタハウジング１０に組み付けられると逃がし部Ｓに入り込む突起であり、図９に示すように、コネクタハウジング１０のハウジング側外係止部１７に対応する位置に計６つ設けられている。
【００４６】
変形制限部５６のうち逃がし傾斜面４７に対向する面は、逃がし傾斜面４７に当接する当接面５７とされている（図１２および図１３参照）。当接面５７は、変形制限部５６の先端角部に形成され、逃がし傾斜面４７と同等の勾配を有して傾斜する傾斜面とされている。
【００４７】
次に、防水コネクタＣの組み付け手順について説明する。
まず、コネクタハウジング１０にシール部材４０を装着する。
シール側内係止部４２を係止嵌合部１９に嵌合し、孔部４４にハウジング側内係止部１６を圧入する。このとき、大径孔部４４Ａと大径突部１６Ａ、小径孔部４４Ｂと小径突部１６Ｂとがそれぞれ嵌り合うようにすることで、シール部材４０の表裏を誤って装着することを防ぐことができる（誤結防止）。
【００４８】
また、シール側外係止部４３をハウジング側外係止部１７に挿入して係止する。シール側外係止部４３をハウジング側外係止部１７に挿入しようとすると、爪部４３Ｂの案内面４６が、コネクタハウジング１０の誘導面２２に接触し、案内面４６と誘導面２２との傾斜によって、シール側外係止部４３の爪部４３Ｂがハウジング側外係止部１７に導かれる。さらにシール側外係止部４３を押し込むと、爪部４３Ｂがハウジング側外係止部１７に入り込み、図１４に示すように、軸部４３Ａが背面側へ倒れた姿勢になってハウジング側外係止部１７を前進する。これにより、シール側外係止部４３をハウジング側外係止部１７に挿入する際の挿入抵抗を低減することができる。そして、爪部４３Ｂがハウジング側外係止部１７を通り抜けると、軸部４３Ａが元の姿勢に弾性復帰して、爪部４３Ｂの係止面４５がハウジング側外係止部１７の被係止面２１に係止する（図１２参照）。
【００４９】
次に、シール部材４０が装着されたコネクタハウジング１０に、シールドハウジング５０を組み付ける。
コネクタハウジング１０にシールドハウジング５０を後方から被せて組み付けると、図１３に示すように、変形制限部５６が逃がし部Ｓに入り込み、当接面５７の全体が逃がし傾斜面４７に当接する。そして、変形制限部５６は、シール側外係止部４３を押し潰すことなくこのシール側外係止部４３に当接し、シール側外係止部４３の背後に形成された逃がし部Ｓを埋めた状態になる。これにより、シール側外係止部４３の逃がし部Ｓ側への弾性変形、すなわち係止解除方向への弾性変形を制限することができ、コネクタハウジング１０に対するシール部材４０の保持力を十分に確保することができる。
こうして、防水コネクタＣの組み付けが完了する。
【００５０】
次に、防水コネクタＣをケースに固定する作業について説明する。
防水コネクタＣの端子収容部１１をケースの取付孔に挿入し、ケースのねじ孔に防水コネクタＣのボルト孔５４を整合させるべく、防水コネクタＣを、ケースの外側面に沿って滑らすように移動させる。すると、シール部材４０の本体部４１がケースの外側面に接触して面方向の力（具体的には、防水コネクタＣを上方に移動させたときには下向きの力、防水コネクタＣを下方に移動させたときには上向きの力、防水コネクタＣを左方に移動させたときには右向きの力、防水コネクタＣを右方に移動させたときには左向きの力）を受ける。
【００５１】
そして、例えばシール部材４０の本体部４１に下向きの力が作用した場合には、上側の長辺部４１Ａおよび下側の長辺部４１Ａは、それぞれ下向きに引っ張られる。すると、上側の長辺部４１Ａにおいては、シール側外係止部４３が下向きに引っ張られ、シール側内係止部４２は圧縮された状態になり、下側の長辺部４１Ａにおいては、シール側内係止部４２が下向きに引っ張られ、シール側外係止部４３は圧縮された状態になる。そして、本体部４１が下向きの力から解放されると、シール側内係止部４２およびシール側外係止部４３が弾性的に復帰して元の状態（シール部材４０がコネクタハウジング１０の装着部１８に収まった状態）に戻る。
【００５２】
このように、上側の長辺部４１Ａは外側係止部６２の係止により、また下側の長辺部４１Ａは内側係止部６１の係止により、上縁側（上側の長辺部４１Ａにおいては外周側、下側の長辺部４１Ａにおいては内周側）からめくれることを防ぐことができる。
【００５３】
また、シール部材４０の本体部４１に上向きの力が作用した場合にも同様、上側の長辺部４１Ａは、内側係止部６１の係止により下縁側からめくれることを防止でき、下側の長辺部４１Ａは、外側係止部６２の係止により下縁側からめくれることを防止できる。
【００５４】
そして、長辺部４１Ａにおいては、一組の内側係止部６１と外側係止部６２とが二組設けられているから、例えば、一組の内側係止部と外側係止部のみを長辺部の中央に設ける場合に比して、強い力に抗することができる。
【００５５】
また、シール部材４０の本体部４１に右向き、もしくは左向きの力が作用した場合も同様に、内側係止部６１および外側係止部６２のいずれかの係止により、左右の短辺部４１Ｂのめくれを防止することができる。
【００５６】
こうして、シール部材４０の本体部４１がケースとの接触により四方向に力を受けたとしても、内側係止部６１または外側係止部６２の係止により、そのめくれ上がりを防止することができる。したがって、シール部材４０を、コネクタハウジング１０に正規の装着状態に保持したまま、防水コネクタＣをケースに対して正しい位置にセットすることができる。そして、シールドハウジング５０のボルト孔５４にボルトを通してケースのねじ孔にねじ込むことにより、シール部材４０を弾縮させた状態でケースに取り付けると、防水コネクタＣをケースに固定する作業が完了する。
【００５７】
上記のように構成された本実施形態によれば、以下の効果を奏する。
本実施形態の防水コネクタＣは、コネクタハウジング１０と、このコネクタハウジング１０に装着されるシール部材４０とを備え、シール部材４０は、環状をなす本体部４１を有し、コネクタハウジング１０とシール部材４０とは、本体部４１の軸方向に挿入することで係止し合う係止部６０を有し、係止部６０は、本体部４１の内周側に位置して設けられる内側係止部６１と、本体部４1の外周側に位置して設けられる外側係止部６２とを有し、内側係止部６１と外側係止部６２とは、本体部４１を構成する四つの辺のそれぞれに対応して、少なくとも一ずつ設けられている。
【００５８】
これにより、本体部４１を構成する４辺のそれぞれにおいて、本体部４１に内向きの力が作用したときには外側係止部６２の係止により、本体部４１に外向きの力が作用したときには内側係止部６１の係止により、本体部４１のめくれを防止することができるから、シール部材４０が、面方向の力を受けてコネクタハウジング１０から外れる事態を防ぐことができる。
【００５９】
また、係止部６０のうち内側係止部６１は、圧入することで係止し合う圧入係止部であり、外側係止部６２は、引っ掛けることで係止し合う引掛係止部である。ここで、引掛係止部（すなわち外側係止部６２）を係止する作業は、圧入係止部（すなわち内側係止部６１）を係止する作業に比して容易であるから、例えば、すべての係止部を圧入係止部とする場合に比べて、コネクタハウジング１０にシール部材４０を装着する作業を容易に行うことができる。
【００６０】
＜他の実施形態＞
本発明は上記記述及び図面によって説明した実施形態に限定されるものではなく、例えば次のような実施形態も本発明の技術的範囲に含まれる。
（１）上記実施形態では、シール部材４０の本体部４１は横長の長方形状をなしているが、これに限らず、シール部材の本体部は環状であれば如何なる形状であってもよく、例えば、シール部材の本体部は、正方形状、楕円形状、または円形状等、任意の形状としてもよい。
（２）そして、例えば、シール部材の本体部を楕円形状や円形状等とした場合には、内側係止部と外側係止部とを、本体部を周方向に４等分してなる弧のそれぞれに対応して少なくとも一ずつ設ければよいから、例えば、本体部を周方向に５等分以上してなる弧のそれぞれに対応して、内側係止部と外側係止部とを一ずつ設けるものとしてもよい。
（３）上記実施形態では、一の内側係止部６１と一の外側係止部６２とが一組ずつ近傍に位置して設けられているが、これに限らず、内側係止部と外側係止部とを離れた位置にバランスをとって配しても良く、例えばシール部材の本体部を構成する辺のうち一の辺の長さ方向の真ん中に一の内側係止部を設け、この内側係止部とその一の辺の端部との間に外側係止部を一ずつ設ける等してもよい。
【００６１】
（４）上記実施形態では、シール部材４０の本体部４１の長辺部４１Ａに、内側係止部６１および外側係止部６２が二組ずつ設けられているが、これに限らず、例えば、一組のみ、または三組以上設けても良い。
（５）上記実施形態では、係止部６０は、圧入することで係止し合う圧入係止部と、引っ掛けることで係止し合う引掛係止部とを有しているが、これに限らず、係止部は圧入係止部のみ、または引掛係止部のみとしてもよい。
（６）上記実施形態では、内側係止部６１のすべてが圧入係止部、外側係止部６２のすべてが引掛係止部とされているが、これに限らず、内側係止部のすべてを引掛係止部、外側係止部のすべてを圧入係止部としてもよく、また、内側係止部および外側係止部が、圧入係止部と引掛係止部とのいずれをも有するものとしてもよい。
【符号の説明】
【００６２】
１０…コネクタハウジング
４０…シール部材
４１…本体部
６０…係止部
６１…内側係止部（圧入係止部）
６２…外側係止部（引掛係止部）
【図１】
2015015139.tif 000003
【図２】
2015015139.tif 000004
【図３】
2015015139.tif 000005
【図４】
2015015139.tif 000006
【図５】
2015015139.tif 000007
【図６】
2015015139.tif 000008
【図７】
2015015139.tif 000009
【図８】
2015015139.tif 000010
【図９】
2015015139.tif 000011
【図１０】
2015015139.tif 000012
【図１１】
2015015139.tif 000013
【図１２】
2015015139.tif 000014
【図１３】
2015015139.tif 000015
【図１４】
2015015139.tif 000016